(57)【要約】      （修正有）【課題】コンタクトピンをフレキシブル配線基板に確実に接触させ、被検査部品の検査を効率良く、かつ精度良く行うことができる検査装置を提供する。【解決手段】被検査部品から延びるフレキシブル配線基板１２０を載置する載置平面３１fを有する載置板３１と、載置平面３１f上に載置されたフレキシブル配線基板１２０を押圧する押圧部材４２と、フレキシブル配線基板１２０に接触することで被検査部品と電気的に接続可能なコンタクトピン２３と、を備え、載置板３１は、載置平面３１fに至る貫通孔３４を有し、コンタクトピン２３及び載置板３１は、載置板３１及び押圧部材４２に挟持されたフレキシブル配線基板１２０の端子部に貫通孔３４を介してコンタクトピン２３を接触させるように、互いに相対移動可能である。【選択図】図４
2019158517.tif 000002
【特許請求の範囲】
【請求項１】
被検査部品に関する所定の検査を行うための検査装置において、
前記被検査部品から延びるフレキシブル配線基板を載置する載置平面を有する載置板と、
前記載置平面上に載置された前記フレキシブル配線基板を押圧する押圧部材と、
前記フレキシブル配線基板に接触することで前記被検査部品と電気的に接続可能なコンタクトピンと、を備え、
前記載置板は、前記載置平面に至る貫通孔を有し、
前記コンタクトピン及び前記載置板は、前記載置板及び前記押圧部材に挟持された前記フレキシブル配線基板の端子部に前記貫通孔を介して前記コンタクトピンを接触させるように、互いに相対移動可能である
検査装置。
【請求項２】
前記載置平面は、前記フレキシブル配線基板に嵌合する凸部を有する
請求項１に記載の検査装置。
【請求項３】
前記押圧部材は、前記フレキシブル配線基板の押圧時に前記凸部を挿入可能な凹部を有している
請求項２に記載の検査装置。
【請求項４】
前記凸部は、前記載置平面の内側に退避可能に構成されている
請求項２に記載の検査装置。
【請求項５】
前記押圧部材は、前記フレキシブル配線基板を押圧することで前記載置板を前記コンタクトピン側に移動させる
請求項１〜４のいずれか一項に記載の検査装置。
【発明の詳細な説明】
【技術分野】
【０００１】
本発明は、検査装置に関する。
【背景技術】
【０００２】
従来、携帯型電話端末等の電子機器に搭載されるカメラユニットは、シャッタ機構、絞り機構、フィルタ機構、レンズバリア機構等を構成するカメラ用羽根駆動装置を備えている。これらの機構を構成するカメラ用羽根駆動装置は、単独の機構でユニット化される場合もあれば、複数の機構を組み合わせてユニット化される場合もある。
【０００３】
例えば、下記特許文献１には、地板及びカバー板と、羽根と、電磁アクチュエータと、フレキシブルプリント配線板と、を備えたカメラ用羽根駆動装置が記載されている。このカメラ用羽根駆動装置において、地板及びカバー板は、露光開口を有している。羽根は、地板とカバー板との間に配置されている。電磁アクチュエータは、羽根を露光開口に進退させる。フレキシブルプリント配線板は、地板とカバー板との間で電磁アクチュエータに接続されている。フレキシブルプリント配線板は、地板とカバー板との間から外部に延出している。
【先行技術文献】
【特許文献】
【０００４】
【特許文献１】特開２０１３−７６７４６号公報
【発明の概要】
【発明が解決しようとする課題】
【０００５】
ところで、上記したようなカメラ用羽根駆動装置は、電子機器に組み込むに先立ち、所定の機能に異常が無いか、カメラ用羽根駆動装置単体の状態で検査を行っている。カメラ用羽根駆動装置を検査するには、外部の電源から電磁アクチュエータに通電して電磁アクチュエータを作動させ、羽根を露光開口に進退させる。このため、カメラ用羽根駆動装置の検査装置は、外部の電源側に接続されたコンタクトピンを備えている。このコンタクトピンの先端を、地板とカバー板との間から外部に延出したフレキシブルプリント配線板の端子部に突き当てることで、電磁アクチュエータへの通電を行う。
【０００６】
しかしながら、フレキシブルプリント配線板は、柔軟性を有している。このため、電極の先端をフレキシブルプリント板に突き当てる際に、フレキシブルプリント板が撓むことがある。すると、コンタクトピンをフレキシブルプリント板に設けられた端子部に接触させるのが困難となる場合がある。その結果、検査の作業性、検査の精度が低下してしまうという問題がある。
【０００７】
本発明は、上記事情に鑑みて、コンタクトピンをフレキシブル配線基板に確実に接触させ、被検査部品の検査を効率良く、かつ精度良く行うことができる検査装置を提供することを目的の一つとする。
【課題を解決するための手段】
【０００８】
本発明の検査装置の一つの態様は、被検査部品に関する所定の検査を行うための検査装置において、前記被検査部品から延びるフレキシブル配線基板を載置する載置平面を有する載置板と、前記載置平面上に載置された前記フレキシブル配線基板を押圧する押圧部材と、前記フレキシブル配線基板に接触することで前記被検査部品と電気的に接続可能なコンタクトピンと、を備え、前記載置板は、前記載置平面に至る貫通孔を有し、前記コンタクトピン及び前記載置板は、前記載置板及び前記押圧部材に挟持された前記フレキシブル配線基板の端子部に前記貫通孔を介して前記コンタクトピンを接触させるように、互いに相対移動可能である。
【発明の効果】
【０００９】
本発明の一つの態様によれば、コンタクトピンをフレキシブル配線基板に確実に接触させ、被検査部品の検査を効率良く、かつ精度良く行うことができる検査装置が提供される。
【図面の簡単な説明】
【００１０】
【図１】図１は、一実施形態の検査装置の概略構成を示す斜視図である。
【図２】図２は、一実施形態の検査装置の要部を示す斜視図である。
【図３】図３は、一実施形態の検査装置の概略構成を示す正面図である。
【図４】図４は、一実施形態の検査装置の要部を示す拡大図である。
【図５】図５は、一実施形態の検査装置において、基板押圧部材で基板を押圧している状態を示す正面図である。
【図６】図６は、一実施形態の検査装置において、基板押圧部材と載置板とで基板を挟持している状態を示す正面図である。
【図７】図７は、変形例の検査装置の概略構成を示す正面図である。
【発明を実施するための形態】
【００１１】
図１は、本実施形態の検査装置の概略構成を示す斜視図である。図２は、本実施形態の検査装置の要部を示す斜視図である。
図１に示すように、検査装置１は、カメラ用羽根駆動装置（被検査部品）１００に関する所定の検査を行う。
【００１２】
図２に示すように、検査対象となるカメラ用羽根駆動装置１００は、装置本体１１０と、フレキシブル配線基板１２０と、を備えている。
【００１３】
装置本体１１０は、地板１１１と、カバー板１１２と、羽根１１５と、を主に備えている。地板１１１は、略直方体状で、その内部に羽根１１５等の部品が収容されている。カバー板１１２は、地板１１１の一面側を覆うように設けられている。地板１１１およびカバー板１１２は、には、その中央部に、露光開口１１３を形成する開口部が形成されている。
【００１４】
羽根１１５は、地板１１１とカバー板１１２との間に設けられている。羽根１１５は、電磁アクチュエータ（図示無し）によって、露光開口１１３内に進退駆動可能に設けられている。
【００１５】
フレキシブル配線基板１２０は、装置本体１１０内の電磁アクチュエータ（図示無し）に接続されている。フレキシブル配線基板１２０は、いわゆるフレキシブルプリント配線板からなる。フレキシブル配線基板１２０は、地板１１１とカバー板１１２との間から、装置本体１１０の外部に延出する延出部１２１を備えている。
【００１６】
延出部１２１の先端部には、延出部１２１の延出方向に交差する幅方向の両側に延びる端子部１２２が一体に形成されている。端子部１２２の幅方向両端部には、端子部１２２の厚み方向に貫通する位置決め孔１２３が設けられている。また、端子部１２２において、位置決め孔１２３に対して延出部１２１とは反対側に、接続端子１２４が設けられている。接続端子１２４は、フレキシブル配線基板１２０の一面側（図２において下方を向く側）に設けられている。
【００１７】
図３は、本実施形態の検査装置の概略構成を示す正面図である。
図１、図３に示すように、検査装置１は、基台部２と、基板載置部３と、押え治具部４と、を備えている。
基台部２は、基台２１と、本体支持部２２と、コンタクトピン２３と、を備えている。基台２１は、検査装置１のベース部（図示無し）上に固定されている。
【００１８】
図２示すように、本体支持部２２は、基台２１の上面に設けられている。本体支持部２２は、検査の際に、カメラ用羽根駆動装置１００の装置本体１１０を支持する。本体支持部２２は、装置本体１１０を支持する支持面２４と、支持面２４の外周側に設けられたガイド部２５、２６と、を備えている。支持面２４は、装置本体１１０の地板１１１に沿う、矩形状の平面である。
【００１９】
ガイド部２５は、矩形状の支持面２４の角部２４ｃに設けられている。ガイド部２５は、略Ｌ字状で、第一ガイド壁２５ａと、第一ガイド壁２５ａに直交して延びる第二ガイド壁２５ｂとを備えている。ガイド部２５の第一ガイド壁２５ａ、第二ガイド壁２５ｂは、支持面２４の角部２４ｃを挟んで互いに隣り合う二辺に沿うよう設けられている。
【００２０】
ガイド部２６は、支持面２４において、ガイド部２５が設けられた角部２４ｃに対して対角状に位置する角部２４ｄに設けられている。ガイド部２６は、第三ガイド壁２６ａと、第三ガイド壁２６ａに直交して延びる第四ガイド壁２６ｂとを備えている。ガイド部２６の第三ガイド壁２６ａ、第四ガイド壁２６ｂは、支持面２４の角部２４ｄを挟んで互いに隣り合う二辺に沿うよう設けられている。
【００２１】
これらのガイド部２５、２６は、装置本体１１０の角部１１０ｃ、１１０ｄの外側に位置することで、支持面２４に沿った装置本体１１０の位置ズレを抑える。
ガイド部２５、２６には、支持面２４から離間するにしたがって外方に広がるテーパ面２５ｆ、２６ｆが形成されている。
【００２２】
また、ガイド部２６の第四ガイド壁２６ｂには、第四ガイド壁２６ｂを支持面２４に沿った方向に貫通する切り欠き部２７が設けられている。切り欠き部２７は、第四ガイド壁２６ｂを挟んで支持面２４の内側の領域と支持面２４よりも外側の領域とを連通している。検査の際、カメラ用羽根駆動装置１００のフレキシブル配線基板１２０の延出部１２１が、切り欠き部２７に挿通される。
【００２３】
図４は、本実施形態の検査装置の要部を示す拡大図である。
図３、図４に示すように、コンタクトピン２３は、基台２１の上面に形成された平面部２８に設けられている。平面部２８は、第四ガイド壁２６ｂを挟んで支持面２４の外側の領域に設けられている。コンタクトピン２３は、平面部２８の所定位置に、複数本が設けられている。各コンタクトピン２３は、平面部２８から突出して設けられている。これらのコンタクトピン２３は、検査の際にフレキシブル配線基板１２０の接続端子１２４に接触することで、カメラ用羽根駆動装置１００と電気的に接続可能とされている。
【００２４】
図１、図２に示すように、基板載置部３は、載置板３１と、載置板支持部材３２と、を備えている。
図１、図３、図４に示すように、載置板３１は、樹脂等の絶縁性材料からなる板状で、その一面側に、載置平面３１ｆを有する。載置平面３１ｆは、検査の際に、カメラ用羽根駆動装置１００から延びるフレキシブル配線基板１２０の端子部１２２が載置される。
【００２５】
載置板３１には、載置平面３１ｆから突出する凸部３３が設けられている。凸部３３は、フレキシブル配線基板１２０の端子部１２２の幅方向両端部の位置決め孔１２３に対応した数（本実施形態では２つ）が設けられている。凸部３３は、端子部１２２の各位置決め孔１２３に嵌合する。
【００２６】
また、載置板３１には、貫通孔３４が形成されている。貫通孔３４は、載置板３１において基台２１の平面部２８に対向する側から載置平面３１ｆに至るよう、載置板３１を板厚方向に貫通して設けられている。この貫通孔３４の内側には、コンタクトピン２３が挿通可能となっている。
【００２７】
図１、図３に示すように、載置板支持部材３２は、基台部２の外側に設けられている。載置板支持部材３２は、載置板３１の端部に連結されている。載置板支持部材３２は、図示しない移動機構によって、基台部２の平面部２８に直交する方向に移動可能とされている。これにより、載置板支持部材３２に支持された載置板３１は、平面部２８に接触した状態と、平面部２８から離間した状態との間で、平面部２８に交差する方向に移動可能に設けられている。このようにして、基台部２のコンタクトピン２３と、載置板３１とは、互いに相対移動可能に設けられている。
【００２８】
載置板３１は、スプリング（図示無し）等の付勢部材によって、平面部２８から離間した方向に付勢されている。図３に示すように、載置板３１が平面部２８から離間した状態で、コンタクトピン２３は、載置板３１と平面部２８との間に位置している。
【００２９】
図５は、本実施形態の検査装置において、基板押圧部材で基板を押圧している状態を示す正面図である。
図５に示すように、載置板３１を、付勢部材（図示無し）の付勢力に抗して平面部２８側に移動させると、コンタクトピン２３は、貫通孔３４の内側に挿通される。載置板３１が平面部２８に突き当たった状態で、コンタクトピン２３の先端は、貫通孔３４を通して載置板３１の載置平面３１ｆよりも僅かに突出する。
【００３０】
図１、図３に示すように、押え治具部４は、本体押さえ部材４１と、基板押圧部材（押圧部材）４２と、を備えている。
本体押さえ部材４１と基板押圧部材４２とは、支持部材４３に設けられている。支持部材４３は、支柱４４に沿って、基台部２の平面部２８に直交する方向に移動可能に設けられている。支持部材４３は、手動、あるいはモータ等の駆動源により、支柱４４に沿って、基台２１に対して接近・離間する方向に進退される。
【００３１】
本体押さえ部材４１は、支持部材４３から基台２１側に向かって延出している。支持部材４３とともに本体押さえ部材４１を基台２１側に移動させると、本体押さえ部材４１は、その先端部のばね部材４１ａが、本体支持部２２に支持されたカメラ用羽根駆動装置１００の装置本体１１０に突き当たる。
【００３２】
図６は、一実施形態の検査装置において、基板押圧部材と載置板とで基板を挟持している状態を示す正面図である。
基板押圧部材４２は、支持部材４３から基台２１側に向かって延出している。図６に示すように、支持部材４３とともに基板押圧部材４２を基台２１側に移動させると、基板押圧部材４２は、その先端面４２ｆが、載置板３１の載置平面３１ｆに沿ったフレキシブル配線基板１２０の端子部１２２に突き当たる。
【００３３】
これにより、基板押圧部材４２は、載置平面３１ｆ上に載置されたフレキシブル配線基板１２０を押圧し、載置板３１と基板押圧部材４２との間に、フレキシブル配線基板１２０の端子部１２２を挟持する。さらに、図５に示すように、基板押圧部材４２は、載置平面３１ｆ上のフレキシブル配線基板１２０を押圧することで、載置板３１を、平面部２８から離間した状態から、コンタクトピン２３側（平面部２８側）に移動させて平面部２８に突き当てる。
【００３４】
図３、図４に示すように、基板押圧部材４２の先端面４２ｆには、凹部４５が設けられている。凹部４５は、載置板３１側から離間する方向に窪んでいる。凹部４５は、載置板３１に設けられた凸部３３が挿入できるよう設けられている。図５、図６に示すように、基板押圧部材４２で載置板３１の載置平面３１ｆに沿うフレキシブル配線基板１２０を押圧するときには、凸部３３は、凹部４５内に挿入される。
【００３５】
次に、上記したような検査装置１におけるカメラ用羽根駆動装置１００の検査方法について説明する。
【００３６】
カメラ用羽根駆動装置１００を検査する際、まず、検査対象となるカメラ用羽根駆動装置１００をセットする。これには、カメラ用羽根駆動装置１００の装置本体１１０を本体支持部２２にセットする。
このとき、本体支持部２２には、ガイド部２５、２６が支持面２４の対角状に設けられているので、矩形状の装置本体１１０の角部１１０ｃ、１１０ｄを抑え、支持面２４に沿った装置本体１１０の位置ズレを抑える。
また、ガイド部２５、２６には、テーパ面２５ｆ、２６ｆが設けられているので、装置本体１１０が、ガイド部２５、２６の内側に容易に収められる。
【００３７】
また、図２に示すように、カメラ用羽根駆動装置１００のフレキシブル配線基板１２０の端子部１２２を、載置板３１の載置平面３１ｆ上に載置する。端子部１２２に設けられた位置決め孔１２３には、載置板３１に設けられた凸部３３を嵌合させる。
これにより、フレキシブル配線基板１２０の端子部１２２が載置平面３１ｆに沿って位置ズレするのが抑えられる。この状態で、端子部１２２に設けられた接続端子１２４が、載置板３１に設けられた貫通孔３４に臨む。
【００３８】
次に、押え治具部４の支持部材４３を、手動またはモータ等の駆動源の駆動力によって、基台２１側に移動させる。これにより、本体押さえ部材４１と基板押圧部材４２とが、基台２１側に接近する。
【００３９】
図６に示すように、本体押さえ部材４１の先端部のばね部材４１ａが、本体支持部２２に装置本体１１０に突き当たると、装置本体１１０が押さえられる。また、基板押圧部材４２の先端面４２ｆが、載置板３１の載置平面３１ｆ上のフレキシブル配線基板１２０の端子部１２２に突き当たると、端子部１２２が基板押圧部材４２の先端面４２ｆと載置平面３１ｆとの間に挟持される。これにより、端子部１２２が撓むのが押さえられ、載置平面３１ｆに沿って広がったままの状態に維持される。
このとき、載置板３１に設けられた凸部３３は、基板押圧部材４２の先端面４２ｆに設けられた凹部４５内に挿入される。
【００４０】
続いて、図５に示すように、押え治具部４の支持部材４３を、手動またはモータ等の駆動源の駆動力によって、基台２１側にさらに移動させる。これにより、載置板３１が基台２１の平面部２８側に移動し、コンタクトピン２３が、載置板３１の貫通孔３４内に挿入される。そして、載置板３１が平面部２８に突き当たると、コンタクトピン２３の先端が載置平面３１ｆから僅かに突出し、載置板３１と基板押圧部材４２との間に挟持された端子部１２２の接続端子１２４に接触する。
【００４１】
この状態で、外部の電源側から、コンタクトピン２３、接続端子１２４を介し、フレキシブル配線基板１２０が接続された電磁アクチュエータ（図示無し）に給電する。これにより、装置本体１１０の露光開口１１３に羽根１１５を進退させ、カメラ用羽根駆動装置１００の所定の検査を行う。
【００４２】
検査終了後は、外部電源側からの給電を停止した後、図３に示すように、押え治具部４の支持部材４３を基台２１側から離間する方向に移動させる。すると、載置板３１が、図示しないスプリング等の付勢部材によって、基台２１から離間する方向に移動する。
【００４３】
これにより、基板押圧部材４２によるフレキシブル配線基板１２０の押圧が解除され、載置板３１が平面部２８から離間して、接続端子１２４がコンタクトピン２３から離れる。
さらに、図３に示すように、本体押さえ部材４１が装置本体１１０から離れるとともに、基板押圧部材４２が載置平面３１ｆ上の端子部１２２から離れた後、カメラ用羽根駆動装置１００を基台２１側から取り外す。
【００４４】
以上述べたように本実施形態の検査装置１は、フレキシブル配線基板１２０を載置する載置平面３１ｆを有する載置板３１と、載置平面３１ｆ上に載置されたフレキシブル配線基板１２０を押圧する基板押圧部材４２と、フレキシブル配線基板１２０に接触することでカメラ用羽根駆動装置１００と電気的に接続可能なコンタクトピン２３と、を備えている。
さらに、検査装置１は、コンタクトピン２３及び載置板３１が、載置板３１及び基板押圧部材４２に挟持されたフレキシブル配線基板１２０の端子部１２２の接続端子１２４に、貫通孔３４を介してコンタクトピン２３を接触させるように、互いに相対移動可能である。
【００４５】
そのため、検査装置１によれば、基板押圧部材４２及び載置平面３１ｆの間にフレキシブル配線基板１２０の端子部１２２が挟持されることで、曲がりの無い状態の端子部１２２に対して、コンタクトピン２３を接触させることができる。よって、コンタクトピン２３をフレキシブル配線基板１２０の端子部１２２に確実に接触させ、カメラ用羽根駆動装置１００の検査を効率良く、かつ精度良く行うことができる。
【００４６】
また、本実施形態において、載置平面３１ｆは、フレキシブル配線基板１２０に嵌合する凸部３３を有しているので、載置平面３１ｆにフレキシブル配線基板１２０が位置決めされる。
これにより、基板押圧部材４２による押圧を確実に行うことができる。また、フレキシブル配線基板１２０の端子部１２２の接続端子１２４とコンタクトピン２３とを精度良く接触させることができる。
【００４７】
また、本実施形態において、基板押圧部材４２は、フレキシブル配線基板１２０の押圧時に凸部３３を挿入可能な凹部４５を有している。これにより、凹部４５内に凸部３３を挿入することで、基板押圧部材４２と載置平面３１ｆとの間に隙間が生じるのを防止できる。また、基板押圧部材４２と載置平面３１ｆとを密着させて、フレキシブル配線基板１２０の端子部１２２を良好に保持できる。
【００４８】
また、本実施形態において、基板押圧部材４２は、フレキシブル配線基板１２０を押圧することで載置板３１をコンタクトピン２３側に移動させる。このように、基板押圧部材４２の動作によって、フレキシブル配線基板１２０を挟持するとともに、フレキシブル配線基板１２０及びコンタクトピン２３を接触させることができる。
【００４９】
（変形例）
図７は、上述の実施形態の変形例の検査装置の概略構成を示す正面図である。本変形例の検査装置１Ｂは、上述の検査装置１と比較して凸部３３Ｂの構造が主に異なる。なお、上述の実施形態と同一態様の構成要素については、同一符号を付し、その説明を省略する。
【００５０】
図７に示す様に、検査装置１Ｂは、上記実施形態と同様、基台部２と、基板載置部３Ｂと、押え治具部４と、を備えている。
【００５１】
基板載置部３Ｂの載置板３１には、載置平面３１ｆから突出する凸部３３Ｂが設けられている。凸部３３Ｂは、フレキシブル配線基板１２０の端子部１２２の幅方向両端部の位置決め孔１２３に対応した数（本実施形態では２つ）が設けられている。凸部３３Ｂは、各位置決め孔１２３に嵌合する。
【００５２】
凸部３３Ｂは、スプリング等の付勢部材３５によって、載置平面３１ｆから突出する方向に付勢されている。基板押圧部材４２が載置板３１から離間した状態で、凸部３３Ｂは、載置平面３１ｆから突出している（図７において二点鎖線で図示）。フレキシブル配線基板１２０の端子部１２２を挟持するため、基板押圧部材４２を載置板３１側に移動させ、先端面４２ｆが凸部３３Ｂの先端部３３ｓに突き当たると、凸部３３Ｂは、付勢部材３５（スプリング）の付勢力に抗して載置板３１の載置平面３１ｆの内側に退避する。
【００５３】
このような構成とすることで、基板押圧部材４２がフレキシブル配線基板１２０を押圧した際、凸部３３Ｂが載置平面３１ｆの内側に退避するので、基板押圧部材４２と載置平面３１ｆとの間に隙間が生じるのを防止できる。これにより、基板押圧部材４２と載置平面３１ｆとが密着するので、フレキシブル配線基板１２０の端子部１２２を良好に保持できる。
【００５４】
以上に、本発明の一実施形態を説明したが、実施形態における各構成およびそれらの組み合わせ等は一例であり、本発明の趣旨から逸脱しない範囲内で、構成の付加、省略、置換およびその他の変更が可能である。また、本発明は実施形態によって限定されることはない。
【００５５】
例えば、上述した実施形態の検査装置１で行う検査の内容、検査方法等については、特に限定されない。
また、上述した実施形態の検査装置１で検査するカメラ用羽根駆動装置１００の構成については、特に限定されず、適宜他の構成とすることができる。
また、上述した実施形態の検査装置１の用途は、カメラ用羽根駆動装置１００の検査に特に限定されない。
【符号の説明】
【００５６】
１、１Ｂ…検査装置、２３…コンタクトピン、３１…載置板、３１ｆ…載置平面、３３、３３Ｂ…凸部、３４…貫通孔、４２…基板押圧部材（押圧部材）、４５…凹部、１００…カメラ用羽根駆動装置（被検査部品）、１２０…フレキシブル配線基板。
【図１】
2019158517.tif 000003
【図２】
2019158517.tif 000004
【図３】
2019158517.tif 000005
【図４】
2019158517.tif 000006
【図５】
2019158517.tif 000007
【図６】
2019158517.tif 000008
【図７】
2019158517.tif 000009